【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
ユーザ端末からネットワークを介してアクセス可能にされ、少なくとも着物を含む着用物品に係る商品情報提供装置であって、複数の着用物品に係る画像、及びユーザの顔の画像を読み出し可能な個別の画像情報として記憶する情報保存手段と、前記情報保存手段から複数の前記着用物品に係る画像を、ユーザ端末で選択可能にネットワークに提供する通信手段と、該通信手段が一ユーザ端末から特定の着用物品に係る画像が選択されたことを受けて、前記一ユーザ端末に係るユーザの顔の画像を前記情報保存手段から読み出して、該一ユーザ端末に係るユーザの顔の画像と前記特定の着用物品の画像とを合成し、該合成した画像を前記通信手段を介して前記一ユーザ端末へ送付させる合成手段と、を備えたことを特徴とする着用物品に係る商品情報提供装置。
【請求項２】
前記情報保存手段は、複数の着用物品に係る画像及び前記ユーザの顔の画像を、それぞれ個別に、同一の座標上の異なった所定の座標位置に割り当てられた画像として読み出し可能に記憶し、
前記合成手段は、前記一ユーザ端末に係るユーザの顔の画像であって前記所定の座標位置の配置された画像と、前記特定の着用物品に係る画像であって所定の座標位置に配置された画像とを、前記情報保存手段より読み出して、同じ座標上で重ね合わせることによって前記一ユーザが前記特定の着用物品を着用したかのように合成することを特徴とする請求項１に記載の着用物品に係る商品情報提供装置。
【請求項３】
前記情報保存手段は、複数の着用物品に係る画像及び前記ユーザの顔の画像を、それぞれ個別に、同一の座標上の異なった所定の座標領域に割り当てられた画像として読み出し可能に記憶し、
前記合成手段は、前記一ユーザ端末に係るユーザの顔の画像と前記特定の着用物品に係る画像とを、前記情報保存手段より読み出して、同じ座標上で各画像をそれぞれに割り当てられた座標領域に配置することによって前記一ユーザが前記特定の着用物品を着用したかのように合成することを特徴とする請求項１に記載の着用物品に係る商品情報提供装置。
【請求項４】
ユーザ端末と、前記ユーザ端末からにネットワークを介してアクセス可能にされ、少なくとも着物を含む着用物品に係る商品情報を保存するサーバとを含む商品情報提供システムであって、
前記サーバは
複数種類の着用物品の画像のそれぞれを、異なる所定の座標上に配置された画像として記憶する第１の情報保存手段と、前記第１の情報保存手段から複数の前記着用物品画像を、ユーザ端末で選択可能にネットワークに提供する第１の通信手段と、を備え、
前記ユーザ端末は、
表示手段と、前記ユーザ端末のユーザの顔の画像を前記所定の座標と同一の座標上で前記着用物品の配置と異なる位置に配置して、読み出し可能に記憶する第２の情報保存手段と、前記第１の通信手段を介して前記着用物品の画像を受けて、前記表示手段に選択可能に表示させる第２の通信手段と、前記表示手段に表示された画像から特定の着用物品の画像が選択されたことを受けて、前記ユーザ端末のユーザの顔の画像を前記第２の情報保存手段から読み出し、前記第２の通信手段を介して前記第１の記憶手段から前記特定の着用物品の所定の座標上に配置された画像を読み出して、該ユーザの顔の画像と前記特定の着用物品の画像を前記ユーザが前記特定の着用物品を着用したかのように合成し、該合成した画像を前記表示手段に表示させる合成手段と、を備えたことを特徴とする商品情報提供装置。
【請求項５】
予め、複数の着用物品に係る画像及び前記ユーザの顔の画像を同一の座標上の異なった所定の座標領域に割り当てられたそれぞれ個別の画像情報として記憶する前記情報保存手段と、
表示手段と、
表示された各個別画像から所望の画像を選択するための操作手段と、
前記操作手段によって選択されたユーザの顔の画像及び着用物品に係る画像に対応する各画像情報を前記情報保存手段から受けて、同じ座標上でそれぞれの画像に割り当てられた前記所定の座標領域に配置することによって前記ユーザが前記選択された着用物品を着用したかのように合成する前記合成手段とを備えた着用画像合成装置。
【手続補正２】
【補正対象書類名】明細書
【補正対象項目名】０００７
【補正方法】変更
【補正の内容】
【０００７】  上記目的を達成するために、請求項１に記載の発明は、ユーザ端末からネットワークを介してアクセス可能にされ、少なくとも着物を含む着用物品に係る商品情報提供装置であって、複数の着用物品に係る画像、及びユーザの顔の画像を読み出し可能な個別の画像情報として記憶する情報保存手段と、前記情報保存手段から複数の前記着用物品に係る画像を、ユーザ端末で選択可能にネットワークに提供する通信手段と、該通信手段が一ユーザ端末から特定の着用物品に係る画像が選択されたことを受けて、前記一ユーザ端末に係るユーザの顔の画像を前記情報保存手段から読み出して、該一ユーザ端末に係るユーザの顔の画像と前記特定の着用物品の画像とを合成し、該合成した画像を前記通信手段を介して前記一ユーザ端末へ送付させる合成手段と、を備えた。
【手続補正３】
【補正対象書類名】明細書
【補正対象項目名】０００８
【補正方法】変更
【補正の内容】
【０００８】  請求項２に記載の発明は、前記情報保存手段は、複数の着用物品に係る画像及び前記ユーザの顔の画像を、それぞれ個別に、同一の座標上の異なった所定の座標位置に割り当てられた画像として読み出し可能に記憶し、
前記合成手段は、前記一ユーザ端末に係るユーザの顔の画像であって前記所定の座標位置の配置された画像と、前記特定の着用物品に係る画像であって所定の座標位置に配置された画像とを、前記情報保存手段より読み出して、同じ座標上で重ね合わせることによって前記一ユーザが前記特定の着用物品を着用したかのように合成する構成とした。
【手続補正４】
【補正対象書類名】明細書
【補正対象項目名】０００９
【補正方法】変更
【補正の内容】
【０００９】  請求項３に記載の発明は、請求項１に記載の発明において、前記情報保存手段は、複数の着用物品に係る画像及び前記ユーザの顔の画像を、それぞれ個別に、同一の座標上の異なった所定の座標領域に割り当てられた画像として読み出し可能に記憶し、
前記合成手段は、前記一ユーザ端末に係るユーザの顔の画像と前記特定の着用物品に係る画像とを、前記情報保存手段より読み出して、同じ座標上で各画像をそれぞれに割り当てられた座標領域に配置することによって前記一ユーザが前記特定の着用物品を着用したかのように合成する構成とした。
【手続補正５】
【補正対象書類名】明細書
【補正対象項目名】００１０
【補正方法】変更
【補正の内容】
【００１０】  請求項４に記載の発明は、ユーザ端末と、前記ユーザ端末からにネットワークを介してアクセス可能にされ、少なくとも着物を含む着用物品に係る商品情報を保存するサーバとを含む商品情報提供システムであって、
前記サーバは
複数種類の着用物品の画像のそれぞれを、異なる所定の座標上に配置された画像として記憶する第１の情報保存手段と、前記第１の情報保存手段から複数の前記着用物品画像を、ユーザ端末で選択可能にネットワークに提供する第１の通信手段と、を備え、
前記ユーザ端末は、
表示手段と、前記ユーザ端末のユーザの顔の画像を前記所定の座標と同一の座標上で前記着用物品の配置と異なる位置に配置して、読み出し可能に記憶する第２の情報保存手段と、前記第１の通信手段を介して前記着用物品の画像を受けて、前記表示手段に選択可能に表示させる第２の通信手段と、前記表示手段に表示された画像から特定の着用物品の画像が選択されたことを受けて、前記ユーザ端末のユーザの顔の画像を前記第２の情報保存手段から読み出し、前記第２の通信手段を介して前記第１の記憶手段から前記特定の着用物品の所定の座標上に配置された画像を読み出して、該ユーザの顔の画像と前記特定の着用物品の画像を前記ユーザが前記特定の着用物品を着用したかのように合成し、該合成した画像を前記表示手段に表示させる合成手段と、を備えた。